(57)【要約】【課題】ユーザの視線の位置に基づいてユーザの視線に関する評価値を算出することが可能な、情報処理装置、情報処理方法、およびプログラムを提供する。【解決手段】ユーザの視線の位置に関する情報と、視線に関する評価値を算出する範囲を示す範囲情報とに基づいて、特定された範囲ごとに評価値を算出する評価値算出部を備える、情報処理装置が提供される。【選択図】図１５
2015088828.tif 000002
【特許請求の範囲】
【請求項１】
ユーザの視線の位置に関する情報と、視線に関する評価値を算出する範囲を示す範囲情報とに基づいて、特定された前記範囲ごとに前記評価値を算出する評価値算出部を備える、情報処理装置。
【請求項２】
前記評価値算出部は、特定された前記範囲に対して重み付けをつけて前記評価値を算出する、請求項１に記載の情報処理装置。
【請求項３】
前記評価値算出部は、特定された前記範囲に含まれるコンテンツの種類、前記コンテンツの属性のうちの、一方または双方に基づいて重み付けをつけて、前記評価値を算出する、請求項２に記載の情報処理装置。
【請求項４】
前記範囲情報が示す範囲が、表示画面に対応する領域のうちの一部の領域である場合、
前記評価値算出部は、前記範囲情報に基づき特定された前記範囲に対応する領域における、表示画面における基準位置からの距離に基づいて重み付けをつけて、前記評価値を算出する、請求項２に記載の情報処理装置。
【請求項５】
前記基準位置は、前記範囲情報に基づき特定された前記範囲が設定されるコンテンツの種類に基づき設定される、請求項４に記載の情報処理装置。
【請求項６】
前記範囲情報が示す範囲が、表示画面に対応する領域のうちの一部の領域である場合、
前記評価値算出部は、前記範囲情報が示す範囲を、範囲ごとに範囲が大きくなるように調整して前記範囲を特定する、請求項１に記載の情報処理装置。
【請求項７】
前記評価値算出部は、前記ユーザの視線の位置に関する情報に対応する装置の種類に基づいて、前記範囲情報が示す範囲を調整する、請求項６に記載の情報処理装置。
【請求項８】
前記評価値算出部は、前記ユーザの視線の位置に関する情報に対応する表示画面における位置、または前記ユーザの視線の位置に関する情報に対応する実オブジェクトにおける位置と、前記ユーザの視線の位置に関する情報に対応するユーザとの距離に基づいて、前記範囲情報が示す範囲を調整する、請求項６に記載の情報処理装置。
【請求項９】
前記評価値算出部は、前記ユーザの視線の位置に関する情報に対応する表示画面、または前記ユーザの視線の位置に関する情報に対応する実オブジェクトに対する、前記ユーザの視線の位置に関する情報に対応するユーザの位置に基づいて、前記範囲情報が示す範囲を調整する、請求項６に記載の情報処理装置。
【請求項１０】
前記評価値算出部は、前記ユーザの視線の位置に関する情報の取得に係る方法と、前記ユーザの視線の位置に関する情報の取得に係るデバイスとのうちの、一方または双方に基づいて、前記範囲情報が示す範囲を調整する、請求項６に記載の情報処理装置。
【請求項１１】
前記評価値算出部は、調整されることにより前記範囲が特定された場合、
調整された範囲のうち、調整された範囲と前記範囲情報が示す範囲との差分に対応する範囲に対して重み付けをつけて、前記評価値を算出する、請求項６に記載の情報処理装置。
【請求項１２】
前記評価値算出部は、前記範囲情報が示す範囲を、前記範囲として特定する、請求項１に記載の情報処理装置。
【請求項１３】
前記評価値を算出する範囲を設定し、設定された範囲に対応する前記範囲情報を生成する生成部をさらに備え、
前記評価値算出部は、生成された前記範囲情報に基づいて、前記評価値を算出する、請求項１に記載の情報処理装置。
【請求項１４】
前記範囲ごとに算出された評価値に基づいて処理を行う処理部をさらに備える、請求項１に記載の情報処理装置。
【請求項１５】
前記処理部は、前記評価値の算出に係る値を、前記評価値の算出に係る値の大きさに応じた色により視覚化して、表示画面に表示させる、請求項１４に記載の情報処理装置。
【請求項１６】
ユーザの視線の位置に関する情報と、視線に関する評価値を算出する範囲を示す範囲情報とに基づいて、特定された前記範囲ごとに前記評価値を算出するステップを有する、情報処理装置により実行される情報処理方法。
【請求項１７】
ユーザの視線の位置に関する情報と、視線に関する評価値を算出する範囲を示す範囲情報とに基づいて、特定された前記範囲ごとに前記評価値を算出するステップを、コンピュータに実行させるためのプログラム。
【発明の詳細な説明】
【技術分野】
【０００１】
本開示は、情報処理装置、情報処理方法、およびプログラムに関する。
【背景技術】
【０００２】
アイトラッキング技術などの視線検出に係る技術を利用して、ユーザの注目に関するデータを得る技術が開発されている。上記ユーザの注目に関するデータを得る技術としては、例えば、下記の特許文献１に記載の技術や、下記の特許文献２に記載の技術が挙げられる。
【先行技術文献】
【特許文献】
【０００３】
【特許文献１】特開２０１３−０８０３６５号公報
【特許文献２】特開２００７−２８６９９５号公報
【発明の概要】
【発明が解決しようとする課題】
【０００４】
ユーザの視線の位置に基づいてユーザの視線に関する評価値を算出する方法は、確立されていない。
【０００５】
本開示では、ユーザの視線の位置に基づいてユーザの視線に関する評価値を算出することが可能な、新規かつ改良された情報処理装置、情報処理方法、およびプログラムを提案する。
【課題を解決するための手段】
【０００６】
本開示によれば、ユーザの視線の位置に関する情報と、視線に関する評価値を算出する範囲を示す範囲情報とに基づいて、特定された前記範囲ごとに前記評価値を算出する評価値算出部を備える、情報処理装置が提供される。
【０００７】
また、本開示によれば、ユーザの視線の位置に関する情報と、視線に関する評価値を算出する範囲を示す範囲情報とに基づいて、特定された前記範囲ごとに前記評価値を算出するステップを有する、情報処理装置により実行される情報処理方法が提供される。
【０００８】
また、本開示によれば、ユーザの視線の位置に関する情報と、視線に関する評価値を算出する範囲を示す範囲情報とに基づいて、特定された前記範囲ごとに前記評価値を算出するステップを、コンピュータに実行させるためのプログラムが提供される。
【発明の効果】
【０００９】
本開示によれば、ユーザの視線の位置に基づいて、ユーザの視線に関する評価値を算出することができる。
【００１０】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１１】
【図１】本実施形態に係る評価値を算出する範囲の一例を示す説明図である。
【図２】本実施形態に係る情報処理方法に係る処理の一例を説明するための説明図である。
【図３】本実施形態に係る情報処理方法に係る処理の一例を説明するための説明図である。
【図４】本実施形態に係る情報処理方法に係る処理の一例を説明するための説明図である。
【図５】本実施形態に係る情報処理方法に係る処理の一例を説明するための説明図である。
【図６】本実施形態に係る情報処理方法に係る処理の一例を説明するための説明図である。
【図７】本実施形態に係る情報処理方法に係る処理の一例を説明するための説明図である。
【図８】本実施形態に係る情報処理方法に係る処理の一例を説明するための説明図である。
【図９】本実施形態に係る情報処理方法に係る処理の一例を説明するための説明図である。
【図１０】本実施形態に係る情報処理方法に係る処理の一例を説明するための説明図である。
【図１１】本実施形態に係る情報処理方法に係る処理の一例を説明するための説明図である。
【図１２】本実施形態に係る情報処理方法に係る処理の一例を説明するための説明図である。
【図１３】本実施形態に係る情報処理方法に係る処理の一例を説明するための説明図である。
【図１４】本実施形態に係る情報処理システムの一例を説明するための説明図である。
【図１５】本実施形態に係る情報処理装置の構成の一例を示すブロック図である。
【図１６】本実施形態に係る情報処理装置のハードウェア構成の一例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下では、下記に示す順序で説明を行う。
１．本実施形態に係る情報処理方法
２．本実施形態に係る情報処理装置
３．本実施形態に係るプログラム
【００１４】
（本実施形態に係る情報処理方法）
本実施形態に係る情報処理装置の構成について説明する前に、まず、本実施形態に係る情報処理方法について説明する。以下では、本実施形態に係る情報処理方法に係る処理を、本実施形態に係る情報処理装置が行う場合を例に挙げて、本実施形態に係る情報処理方法について説明する。
【００１５】
［１］本実施形態に係る情報処理方法に係る処理の概要
上述したように、ユーザの視線の位置に基づいてユーザの視線に関する評価値を算出する方法は、確立されていない。
【００１６】
そこで、本実施形態に係る情報処理装置は、例えば、ユーザの視線の位置に関する情報と、視線に関する評価値を算出する範囲を示す範囲情報とに基づいて、特定された“視線に関する評価値を算出する範囲”ごとに評価値を算出する（評価値算出処理）。以下では、本実施形態に係る視線に関する評価値を算出する範囲を、例えば、「本実施形態に係る評価値を算出する範囲」や、「評価値を算出する範囲」、「本実施形態に係る範囲」と示す場合がある。
【００１７】
（ａ）本実施形態に係るユーザの視線の位置に関する情報について
本実施形態に係るユーザの視線の位置に関する情報とは、例えば、ユーザの視線の位置を示すデータ、または、ユーザの視線の位置の特定に用いることが可能なデータ（または、ユーザの視線の位置の推定に用いることが可能なデータ。以下、同様とする。）である。
【００１８】
本実施形態に係るユーザの視線の位置を示すデータとしては、例えば、“表示画面におけるユーザの視線の位置を示す座標データ”が挙げられる。また、本実施形態に係るユーザの視線の位置を示すデータには、視線の方向を示すデータ（例えば、表示画面に対する角度を示すデータなど）が含まれていてもよい。
【００１９】
表示画面におけるユーザの視線の位置は、例えば、表示画面における基準位置を原点とする座標系における座標で表される。
【００２０】
本実施形態に係るユーザの視線の位置に関する情報として、表示画面におけるユーザの視線の位置を示す座標データが用いられる場合、本実施形態に係る情報処理装置は、例えば、視線検出技術を用いてユーザの視線の位置を特定（または推定）した外部装置から取得された、表示画面におけるユーザの視線の位置を示す座標データを用いて、表示画面におけるユーザの視線の位置を特定する。また、本実施形態に係るユーザの視線の位置に関する情報として、視線の方向を示すデータが用いられる場合、本実施形態に係る情報処理装置は、例えば、上記外部装置から取得された視線の方向を示すデータを用いて、ユーザの視線の方向を特定する。
【００２１】
ここで、例えば、視線検出技術を用いて検出された視線と、表示画面において画像が表示される方向が撮像された撮像画像から検出される表示画面に対するユーザの位置や顔の向きなどとを用いることによって、表示画面におけるユーザの視線の位置や、ユーザの視線の方向を特定することが可能である。なお、本実施形態に係る表示画面におけるユーザの視線の位置やユーザの視線の方向の特定方法は、上記に限られない。例えば、本実施形態に係る情報処理装置や、外部装置は、表示画面におけるユーザの視線の位置やユーザの視線の方向を特定することが可能な任意の技術を用いることが可能である。
【００２２】
また、本実施形態に係る視線検出技術としては、例えば、目の基準点（例えば、目頭や角膜反射などの目における動かない部分に対応する点）に対する、目の動点（例えば、虹彩や瞳孔などの目における動く部分に対応する点）の位置に基づいて、視線を検出する方法が挙げられる。なお、本実施形態に係る視線検出技術は、上記に限られず、例えば、視線を検出することが可能な任意の視線検出技術であってもよい。
【００２３】
なお、本実施形態に係るユーザの視線の位置を示すデータは、上記“表示画面におけるユーザの視線の位置を示す座標データ”に限られない。
【００２４】
例えば、ユーザが透過型のヘッドマウントディスプレイ（Head  Mounted  Display。以下、「ＨＭＤ」と示す。）を装着している場合などにおいては、本実施形態に係るユーザの視線の位置を示すデータは、“ユーザが見ている実空間の実オブジェクトにおける位置を示す座標データ”であってもよい。
【００２５】
ユーザが見ている実空間の実オブジェクトにおける位置は、例えば、ユーザの顔の正面（または略正面。以下、同様とする。）の方向が撮像された撮像画像と、視線検出技術を用いて検出された視線とを用いることによって、推定される。
【００２６】
ここで、本実施形態に係る上記撮像画像は、ユーザの顔の正面の方向が撮像された画像であるので、ユーザが実際に目にする風景に対応する画像に相当する。つまり、ユーザが見ている実空間の実オブジェクトにおける位置は、例えば、撮像画像におけるユーザの視線の位置を特定することによって、推定することが可能である。なお、撮像画像におけるユーザの視線の位置の特定に際しては、ユーザの顔の正面の方向が撮像された撮像画像を撮像する撮像デバイスの位置と、ユーザの目の位置とのずれを考慮して位置を補正することによって、より推定精度を上げることが可能である。
【００２７】
なお、ユーザが見ている実空間の実オブジェクトにおける位置の推定方法は、上記に限られず、ユーザが見ている実空間の実オブジェクトにおける位置を推定することが可能な任意の技術を用いることが可能である。以下では、ユーザが見ている実空間の実オブジェクトにおける位置が、ユーザの顔の正面の方向が撮像された撮像画像を用いて推定される場合を例に挙げる。
【００２８】
ユーザが見ている実空間の実オブジェクトにおける位置は、例えば、撮像画像における基準位置を原点とする座標系における座標で表される。
【００２９】
本実施形態に係るユーザの視線の位置に関する情報として、撮像画像における基準位置を原点とする座標系における座標を示す座標データが用いられる場合、本実施形態に係る情報処理装置は、例えば、ユーザが見ている実空間の実オブジェクトにおける位置を推定した外部装置から取得された、当該座標データを用いて、ユーザが見ている実空間の実オブジェクトにおける位置を特定する。
【００３０】
また、本実施形態に係るユーザの視線の位置の特定に用いることが可能なデータとしては、例えば、表示画面において画像（動画像または静止画像）が表示される方向が撮像された撮像画像データが挙げられる。本実施形態に係る表示画面において画像が表示される方向とは、例えば、表示画面における、ユーザによって表示画面に表示される画像が見られる側の方向である。また、本実施形態に係るユーザの視線の位置の特定に用いることが可能なデータには、さらに、表示画面において画像が表示される方向の赤外線を検出する赤外線センサの検出データなど、ユーザの視線の位置の推定精度の向上に用いることが可能な検出値を得る、任意のセンサの検出データが含まれていてもよい。
【００３１】
なお、本実施形態に係るユーザの視線の位置の特定に用いることが可能なデータは、表示画面において画像が表示される方向が撮像された撮像画像データに限られない。例えば、本実施形態に係るユーザの視線の位置の特定に用いることが可能なデータは、ユーザの視線の検出に係る画像データと、ユーザが見ている実空間の実オブジェクトにおける位置の推定に係る画像データとであってもよい。ユーザの視線の検出に係る画像データとしては、例えば、ユーザの目が含まれるように撮像された撮像画像データが挙げられる。また、ユーザが見ている実空間の実オブジェクトにおける位置の推定に係る画像データとしては、例えば、ユーザの顔の正面の方向が撮像された撮像画像データが挙げられる。
【００３２】
本実施形態に係るユーザの視線の位置に関する情報として、ユーザの視線の位置の特定に用いることが可能なデータが用いられる場合、本実施形態に係る情報処理装置は、例えば、自装置（本実施形態に係る情報処理装置。以下、同様とする。）が備える撮像部（後述する）や外部の撮像デバイスから取得された撮像画像データを用いる。また、上記の場合、本実施形態に係る情報処理装置は、例えば、自装置が備えるユーザの視線の位置の推定精度の向上に用いることが可能なセンサや、外部のセンサから取得された検出データ（ユーザの視線の位置の特定に用いることが可能なデータの一例）を用いてもよい。本実施形態に係る情報処理装置は、例えば、上記のように取得されたユーザの視線の位置の特定に用いることが可能なデータを用いて、本実施形態に係る表示画面におけるユーザの視線の位置やユーザの視線の方向の特定方法に係る処理を行い、表示画面におけるユーザの視線の位置やユーザの視線の方向を特定する。また、本実施形態に係る情報処理装置は、例えば、上記のように取得されたユーザの視線の位置の特定に用いることが可能なデータを用いて、ユーザが見ている実空間の実オブジェクトにおける位置の推定方法に係る処理を行い、ユーザが見ている実空間の実オブジェクトにおける位置を推定し、当該位置を特定する。
【００３３】
（ｂ）本実施形態に係る範囲情報について
本実施形態に係る範囲情報とは、本実施形態に係る評価値を算出する範囲を示すデータである。また、本実施形態に係る範囲情報は、例えば、本実施形態に係る評価値を算出する範囲を表すことが可能な、任意のデータ形式をとる。
【００３４】
本実施形態に係る情報処理装置は、例えば、本実施形態に係る情報処理装置が備える記憶部（後述する）や、接続されている外部記録媒体に記憶されている範囲情報に基づいて、評価値を算出する範囲を特定する。また、本実施形態に係る情報処理装置は、例えば、通信可能な外部装置から取得される範囲情報に基づいて、評価値を算出する範囲を特定することも可能である。
【００３５】
また、本実施形態に係る範囲情報は、例えば、本実施形態に係る情報処理装置、および／または、外部装置により生成され、本実施形態に係る情報処理装置は、生成された範囲情報に基づいて評価値を算出する範囲を特定してもよい。本実施形態に係る範囲情報の生成に係る処理（生成処理）の一例については、後述する。
【００３６】
本実施形態に係る情報処理装置は、例えば、範囲情報が示す範囲を、本実施形態に係る評価値を算出する範囲として特定する。
【００３７】
なお、本実施形態に係る情報処理装置における、評価値を算出する範囲の特定方法は、上記に限られない。例えば、本実施形態に係る情報処理装置は、範囲情報が示す範囲を調整し、調整された範囲を、評価値を算出する範囲として特定することも可能である。本実施形態に係る範囲情報が示す範囲の調整に係る処理の一例については、後述する。
【００３８】
図１は、本実施形態に係る評価値を算出する範囲の一例を示す説明図である。図１は、評価値を算出する範囲が設定される対象が、雑誌や書籍などの複数ページを有する媒体である例を示している。
【００３９】
なお、本実施形態に係る評価値を算出する範囲が設定される対象は、雑誌や書籍などの複数ページを有する媒体に限られない。例えば、本実施形態に係る評価値を算出する範囲が設定される対象は、静止画像や、動画像（または、複数の静止画像。以下、同様とする。）など、表示画面に表示されうる任意の対象が挙げられる。また、本実施形態に係る評価値を算出する範囲が設定される対象は、例えば、実空間の実オブジェクトであってもよい。
【００４０】
本実施形態に係る評価値を算出する範囲としては、例えば、図１のＡに示すように、１ページまたは複数ページなどのページ単位が挙げられる。なお、本実施形態に係る評価値を算出する範囲が設定される対象が、動画像である場合には、１フレームまたは複数フレームなど、動画像における所定の単位が、図１のＡに示す例に対応する。
【００４１】
また、本実施形態に係る評価値を算出する範囲は、例えば、図１のＢに示すように、１ページ内に含まれる記事単位であってもよいし、図１のＣに示すように、記事の構成要素単位であってもよい。本実施形態に係る評価値を算出する範囲が、表示画面に表示されうる任意の対象である場合、表示画面に対応する領域のうちの一部の領域が、図１のＢに示す例、図１のＣに示す例に対応する。
【００４２】
図１のＤ〜Ｆは、本実施形態に係る評価値を算出する範囲が、表示画面に対応する領域全体である場合の一例と、表示画面に対応する領域のうちの一部の領域である場合の一例とを示している。
【００４３】
本実施形態に係る評価値を算出する範囲は、図１のＤに示すように、表示画面に対応する領域の全体であってもよいし、図１のＥ、Ｆに示すように、表示画面に対応する領域のうちの一部の領域であってもよい。
【００４４】
本実施形態に係る評価値を算出する範囲としては、例えば図１に示す例が挙げられる。なお、本実施形態に係る評価値を算出する範囲が、図１に示す例に限られないことは、言うまでもない。
【００４５】
本実施形態に係る情報処理装置は、例えば、上記（ａ）に示すユーザの視線の位置に関する情報と、上記（ｂ）に示す範囲情報とに基づいて、範囲情報が示す範囲ごとに評価値を算出する。
【００４６】
図２は、本実施形態に係る情報処理方法に係る処理の一例を説明するための説明図である。
【００４７】
図２に示すＡは、本実施形態に係る評価値を算出する範囲の一例を示しており、本実施形態に係る評価値を算出する範囲が、表示画面に対応する領域のうちの一部の領域ＡＲ１〜ＡＲ３である場合を示している。図２のＡに示すように、本実施形態に係る評価値を算出する範囲が、表示画面に対応する領域のうちの一部の領域である場合における、領域の形状は、矩形や楕円形など、様々な形状の領域が挙げられる。
【００４８】
また、図２に示すＢは、図２のＡに示す領域ＡＲ１〜ＡＲ３それぞれに対して算出された評価値の一例を示している。図２のＢに示すような評価値は、例えば、アプリケーションでの並び替えなどに利用することが可能である。本実施形態に係る評価値を用いた処理（実行処理）の一例については、後述する。
【００４９】
本実施形態に係る情報処理装置は、本実施形態に係る情報処理方法に係る処理を行うことによって、例えば図２のＢに示すように、本実施形態に係る評価値を算出する範囲ごとに評価値を算出する。
【００５０】
以下、本実施形態に係る情報処理方法に係る処理について、より具体的に説明する。
【００５１】
［２］本実施形態に係る情報処理方法に係る処理
（１）評価値算出処理
本実施形態に係る情報処理装置は、例えば、ユーザの視線の位置に関する情報と、範囲情報とに基づいて、特定された本実施形態に係る評価値を算出する範囲ごとに評価値を算出する。
【００５２】
（１−１）評価値算出処理の第１の例
本実施形態に係る情報処理装置は、例えば、“範囲情報に基づき特定される本実施形態に係る評価値を算出する範囲における、座標（表示画面における位置を示す座標や、実オブジェクトにおける位置を示す座標）”と、“当該座標に紐付いた視線に関するスコア値”とによって、本実施形態に係る評価値を算出する。
【００５３】
より具体的には、本実施形態に係る情報処理装置は、例えば、本実施形態に係るユーザの視線の位置に関する情報に基づいて特定されるユーザの視線の位置に対応する座標（以下、「視線座標」と示す場合がある。）が取得されるごとに、視線座標の周囲の座標を含めてスコア値を加算する。加算されるスコア値の算出方法の一例としては、例えば、視線座標の位置の加算値を最も高くし、視線座標の位置から離れるにしたがって小さくする方法が挙げられる。
【００５４】
図３は、本実施形態に係る情報処理方法に係る処理の一例を説明するための説明図であり、本実施形態に係る評価値の算出に係る加算されるスコア値の算出方法の一例を示している。
【００５５】
図３に示すような、ｘｙ平面を上から見たときに、視線座標Ｐを中心とした同心円状に加算するスコア値を減らしていく方法をとる場合には、本実施形態に係る情報処理装置は、例えば下記の数式１に示す演算を行う。ここで、数式１に示す“Ｓｃｏｒｅ（ｘ，ｙ）”は、座標（ｘ，ｙ）において加算されるスコア値を示している。
【００５６】
【数１】
2015088828.tif 000003
【００５７】
例えば上記数式１に示すように加算されるスコア値が算出され、特定された本実施形態に係る評価値を算出する範囲内で加算されることによって、本実施形態に係る評価値を算出する範囲それぞれにおける評価値を算出することができる。また、本実施形態に係る情報処理装置は、例えば、各座標に対応する加算されるスコア値を、座標ごとに加算することによって、座標ごとのスコア値を算出することも可能である。以下では、例えば、本実施形態に係る加算されるスコア値や、本実施形態に係る座標ごとのスコア値などの、評価値の算出に係る値を、「評価値の算出に係るスコア値」と示す場合がある。
【００５８】
ここで、本実施形態に係る評価値を算出する範囲の特定は、例えば、スコア値が算出される前に行われる。スコア値が算出される前に本実施形態に係る評価値を算出する範囲の特定が行われることによって、例えば、リアルタイムでの評価値の解析が可能となる。
【００５９】
また、本実施形態に係る評価値を算出する範囲の特定は、例えば、スコア値が算出された後に行われてもよい。スコア値が算出された後に本実施形態に係る評価値を算出する範囲の特定が行われる場合とは、例えば、評価値の事後的な解析に相当する。
【００６０】
以下では、本実施形態に係る情報処理装置が本実施形態に係る評価値を算出する範囲を特定するタイミングについて、特に言及しないが、本実施形態に係る情報処理装置は、本実施形態に係る評価値算出処理の他の例においても、例えば上記と同様のタイミングで評価値を算出する範囲を特定することが可能である。
【００６１】
なお、本実施形態に係る評価値の算出方法は、上記に示す第１の例に限られない。
【００６２】
（１−２）評価値算出処理の第２の例
例えば、本実施形態に係る情報処理装置は、特定された本実施形態に係る範囲に対して重み付けをつけて評価値を算出することも可能である。本実施形態に係る情報処理装置は、例えば、特定された本実施形態に係る範囲ごとに重み付けをつける。また、本実施形態に係る情報処理装置は、例えば、特定された本実施形態に係る範囲の一部に対して重み付けをつけることも可能である。
【００６３】
（１−２−１）第２の例に係る評価値算出処理の第１の例
本実施形態に係る情報処理装置は、例えば、特定された本実施形態に係る範囲に含まれる“コンテンツの種類”、“コンテンツの属性”のうちの、一方または双方に基づいて重み付けをつけて、評価値を算出する。
【００６４】
図４は、本実施形態に係る情報処理方法に係る処理の一例を説明するための説明図であり、本実施形態に係る情報処理装置が評価値の算出に際して重み付けを行う場合に用いるテーブル（またはデータベース。以下、同様とする。）の一例を示している。本実施形態に係る情報処理装置は、例えば、記憶部（後述する）や外部記録媒体に記憶されているテーブルや、通信可能な外部装置から取得されたテーブルを用いる。
【００６５】
特定された本実施形態に係る評価値を算出する範囲が同一であっても、当該範囲に含まれるコンテンツの種類によっては、ユーザが理解に要する時間が異なることが起こりうる。ここで、本実施形態に係るコンテンツの種類としては、例えば、図４に示すように、テキストや、イメージ（静止画像／動画像）、動画像などが挙げられる。
【００６６】
例えば、文章（図４に示すテキストに対応）と、画像（図４に示すイメージや動画像に対応）とでは、文章の方が理解に要する時間がかかることが想定される。そのため、仮に、文章がより多く含まれる本実施形態に係る第１の範囲と、画像がより多く含まれ、かつ第１の範囲の同一の大きさの本実施形態に係る第２の範囲との間で、重み付けをせずに評価値を算出した場合には、算出される評価値が、ユーザが実際に注目していた感覚と異なる結果となる可能性がある。
【００６７】
また、特定された本実施形態に係る評価値を算出する範囲に含まれるコンテンツの種類が同じであっても、コンテンツの属性によっては、ユーザが理解に要する時間が異なることが起こりうる。ここで、本実施形態に係るコンテンツの属性としては、例えば図４に示すように、文字数やフォントサイズ（コンテンツの種類がテキストである場合の一例）、サイズや解像度（コンテンツの種類がイメージである場合の一例）など、コンテンツの種類に対応する指標が挙げられる。
【００６８】
そこで、本実施形態に係る情報処理装置は、例えば図４に示すようなテーブルを用いて、特定された本実施形態に係る範囲に含まれる“コンテンツの種類”、“コンテンツの属性”のうちの、一方または双方に基づいて重み付けを変える。特定された本実施形態に係る範囲に含まれる“コンテンツの種類”、“コンテンツの属性”のうちの、一方または双方に基づいて重み付けを変えることによって、算出される評価値を、ユーザが実際に注目していた感覚に近づけることができる。
【００６９】
なお、本実施形態に係る情報処理装置が重み付けを行う場合に用いるテーブルの例が、図４に示す例に限られないことは、言うまでもない。
【００７０】
また、本実施形態に係る情報処理装置が重み付けを行う場合に用いるデータは、テーブル形式や、データベース形式に限られない。本実施形態に係る情報処理装置は、例えば、“コンテンツの種類”、および／または、“コンテンツの属性”に対応して重み付けを行うことが可能な、任意の形式のデータを用いることが可能である。
【００７１】
（１−２−２）第２の例に係る評価値算出処理の第２の例
例えば、範囲情報が示す範囲が、図２のＡに示すような表示画面に対応する領域のうちの一部の領域である場合には、本実施形態に係る情報処理装置は、範囲情報に基づき特定された範囲に対応する領域における、表示画面における基準位置からの距離に基づいて重み付けをつけて、評価値を算出することも可能である。
【００７２】
ここで、本実施形態に係る基準位置としては、例えば、表示画面に対して予め設定されている位置（例えば、表示画面の中心位置や、表示画面の画面端の位置など）が挙げられる。表示画面に対して予め設定されている位置は、例えば、ユーザ操作などに基づいて変更可能であってもよい。
【００７３】
なお、本実施形態に係る基準位置は、表示画面に対して予め設定されている位置に限られない。例えば、本実施形態に係る基準位置は、範囲情報に基づき特定された範囲が設定されるコンテンツの種類に基づき設定されてもよい。コンテンツの種類に基づき設定される基準位置としては、例えば、雑誌や漫画本などの書籍の見開き方に応じた位置などが挙げられる。
【００７４】
図５は、実施形態に係る情報処理方法に係る処理の一例を説明するための説明図である。図５は、本実施形態に係る情報処理装置が、表示画面における基準位置からの距離に基づいて重み付けをつけて評価値を算出する場合の一例を示している。
【００７５】
図５に示すＡは、本実施形態に係る基準位置が、表示画面の中心位置である例を示している。図５のＡに示す例は、例えば、表示画面の中心位置が、ユーザにより注目されやすい場所とされた場合の例である。
【００７６】
図５のＡに示すように、本実施形態に係る基準位置を表示画面の中心位置とする場合には、本実施形態に係る情報処理装置は、例えば、当該中心位置からの距離が遠い領域ほど、重み付けを大きくする。表示画面の中心位置からの距離が遠い領域ほど、重み付けを大きくする理由は、例えば、表示画面の中心位置からの距離が遠い領域ほど、元々注目され難い領域であるという考え方に基づく。
【００７７】
なお、図５のＡでは、表示画面の中心位置と領域との間の距離が、領域の中心位置に基づく例を示しているが、表示画面の中心位置と領域との間の距離は、例えば、領域内の任意の位置に基づくものであってもよい。
【００７８】
また、図５に示すＢは、本実施形態に係る基準位置が、表示画面の画面端の位置である例を示している。図５のＢに示す例は、例えば、表示画面の右端の位置（表示画面の画面端の位置の一例）が、ユーザにより注目されやすい場所とされた場合の例である。表示画面の右端の位置が、ユーザにより注目されやすい場所とされる場合とは、例えば、表示画面に表示されるコンテンツが、表示画面に向かって右側からユーザにより読まれることを前提とした例である。
【００７９】
図５のＢに示すように、本実施形態に係る基準位置を表示画面の右端の位置とする場合には、本実施形態に係る情報処理装置は、例えば、当該右端の位置からの距離が遠い領域ほど、重み付けを大きくする。表示画面の右端の位置からの距離が遠い領域ほど、重み付けを大きくする理由は、例えば、表示画面の右端の位置からの距離が遠い領域ほど、元々注目され難い領域であるという考え方に基づく。
【００８０】
なお、図５のＢでは、表示画面の右端の位置と領域との間の距離が、領域の右端の位置に基づく例を示しているが、表示画面の右端の位置と領域との間の距離は、例えば、領域内の任意の位置に基づくものであってもよい。
【００８１】
なお、本実施形態に係る評価値の算出方法は、上記に示す第１の例および第２の例に限られない。
【００８２】
（１−３）評価値算出処理の第３の例
例えば、範囲情報が示す範囲が、図２のＡに示すような表示画面に対応する領域のうちの一部の領域である場合には、本実施形態に係る情報処理装置は、範囲情報が示す範囲を、範囲ごとに範囲が大きくなるように調整して、本実施形態に係る範囲を特定する。ここで、本実施形態に係る情報処理装置は、例えば、範囲情報が示す範囲を、水平方向（一方向または双方向）、および／または、垂直方向（一方向または双方向）に、範囲が大きくなるように調整する。以下では、範囲情報が示す範囲に対応する領域を、「判定領域」と示す場合がある。
【００８３】
そして、本実施形態に係る情報処理装置は、特定された本実施形態に係る範囲（範囲情報が示す範囲が調整された範囲）ごとに、例えば上記第１の例に係る評価値算出処理と同様に、評価値を算出する。
【００８４】
ここで、例えば、下記に示す事由などによって、算出される評価値の精度が下がることが挙げられる。
・視線検出に係るデバイスの精度により、ユーザが実際に見ている位置と、検出される視線の位置とにズレが生じうる。上記ズレによって、ユーザが、本実施形態に係る範囲内を見ていたつもりでも、ユーザの視線の位置に関する情報に基づく視線の位置が、本実施形態に係る範囲から少しはみ出した位置を示すことが起こりうる。
・ユーザが本実施形態に係る範囲内を見ていたつもりでも、微小な目の動きによって、ユーザの視線の位置に関する情報に基づく視線の位置が、本実施形態に係る範囲から少しはみ出した位置を示すことが起こりうる。
【００８５】
そこで、本実施形態に係る情報処理装置は、範囲情報が示す範囲を、範囲ごとに範囲が大きくなるように調整することによって、算出される評価値の精度の向上を図る。以下、第３の例に係る評価値算出処理の具体例について説明する。
【００８６】
（１−３−１）第３の例に係る評価値算出処理の第１の例
本実施形態に係る情報処理装置は、例えば、範囲情報が示す範囲から設定されている範囲におけるスコア値が、所定の判定閾値より大きい場合（または、所定の判定閾値以上である場合。以下、同様とする。）に、設定されている判定閾値より大きいスコア値が含まれるように、範囲情報が示す範囲を、範囲が大きくなるように調整する。ここで、本実施形態に係る判定閾値は、例えば、予め設定されている固定値であってもよいし、ユーザ操作などにより調整可能な可変値であってもよい。
【００８７】
図６は、実施形態に係る情報処理方法に係る処理の一例を説明するための説明図である。図６は、本実施形態に係る情報処理装置が、第３の例に係る評価値算出処理の第１の例において調整する、範囲情報が示す範囲の一例を示している。
【００８８】
図６に示すＡは、範囲情報に対応する領域ＡＲ１と領域ＡＲ２とのうち、領域ＡＲ２が、水平方向および垂直方向それぞれの双方向に大きくなるように調整された例を示している。図６のＡに示す領域ＡＲ２’が、調整された後の本実施形態に係る範囲に該当する。また、図６に示すＢは、図６のＡに示す領域ＡＲ２が図６における左側（水平方向における一方向の一例）に大きくなるように調整する場合の一例を示している。
【００８９】
例えば図６のＢに示す例では、本実施形態に係る情報処理装置は、領域ＡＲ２から設定されている範囲ＡＲ’ におけるスコア値が、所定の判定閾値より大きいので、範囲ＡＲ’分、領域ＡＲ２を大きくする。
【００９０】
また、例えば図６に示すように、範囲情報が示す範囲が大きくなるように調整されることにより、本実施形態に係る範囲が特定された場合には、本実施形態に係る情報処理装置は、例えば、調整された範囲のうち、調整された範囲と範囲情報が示す範囲との差分に対応する範囲に対して重み付けをつけて、評価値を算出することも可能である。
【００９１】
なお、調整された範囲と範囲情報が示す範囲との差分に対応する範囲に対する重み付けに係る処理は、例えば、後述する第３の例に係る評価値算出処理の他の処理において、行われてもよい。
【００９２】
図７は、本実施形態に係る情報処理方法に係る処理の一例を説明するための説明図である。図７に示すＡ〜Ｄは、本実施形態に係る情報処理装置が行う、調整された範囲と範囲情報が示す範囲との差分に対応する範囲に対する重み付けの一例を示している。
【００９３】
本実施形態に係る情報処理装置は、例えば、記憶部（後述する）や外部記録媒体に記憶されている関数を示すデータや、通信可能な外部装置から取得された関数を示すデータを用いる。また、本実施形態に係る情報処理装置は、例えば、記憶部（後述する）や外部記録媒体に記憶されている、距離と重み付け量とが対応付けられているテーブル（または、データベース。）や、通信可能な外部装置から取得された当該テーブルを用いてもよい。
【００９４】
なお、本実施形態に係る情報処理装置が行う、調整された範囲と範囲情報が示す範囲との差分に対応する範囲に対する重み付けの例が、図７に示す例に限られないことは、言うまでもない。
【００９５】
（１−３−２）第３の例に係る評価値算出処理の第２の例
本実施形態に係る情報処理装置は、例えば、ユーザの視線の位置に関する情報に対応する装置の種類に基づいて、範囲情報が示す範囲を調整してもよい。ここで、本実施形態に係るユーザの視線の位置に関する情報に対応する装置とは、例えば、ユーザが視線を向ける表示画面に対応する装置に相当する。
【００９６】
本実施形態に係るユーザの視線の位置に関する情報に対応する装置が、例えば、テレビ受像機やＨＭＤなどである場合には、ユーザの目と機器との位置関係がブレ難い。一方、本実施形態に係るユーザの視線の位置に関する情報に対応する装置が、例えば、タブレット型の装置や、スマートフォンなどの通信装置などである場合には、ユーザの目と機器との位置関係がブレる可能性が高い。
【００９７】
よって、本実施形態に係るユーザの視線の位置に関する情報に対応する装置が、ユーザの目と機器との位置関係がブレ難い装置である場合には、本実施形態に係る情報処理装置は、例えば、範囲情報が示す範囲の調整量を、ユーザの目と機器との位置関係がブレる可能性が高い装置よりも小さくする。また、本実施形態に係るユーザの視線の位置に関する情報に対応する装置が、ユーザの目と機器との位置関係がブレ難い装置である場合には、本実施形態に係る情報処理装置は、例えば、範囲情報が示す範囲を調整しない。
【００９８】
また、本実施形態に係るユーザの視線の位置に関する情報に対応する装置が、ユーザの目と機器との位置関係がブレる可能性が高い装置である場合には、本実施形態に係る情報処理装置は、例えば、範囲情報が示す範囲の調整量を、ユーザの目と機器との位置関係がブレ難い装置よりも大きくする。
【００９９】
具体例を挙げると、本実施形態に係る情報処理装置は、例えば、本実施形態に係るユーザの視線の位置に関する情報に対応する装置の種別を示すデータ（例えば、装置ＩＤなど）を取得する。本実施形態に係る情報処理装置は、例えば、本実施形態に係るユーザの視線の位置に関する情報に対応する装置や、本実施形態に係るユーザの視線の位置に関する情報に対応する装置を管理するサーバなどと通信を行うことによって、本実施形態に係るユーザの視線の位置に関する情報に対応する装置の種別を示すデータを取得する（本実施形態に係るユーザの視線の位置に関する情報に対応する装置が、外部装置である場合の取得方法の一例）。なお、本実施形態に係るユーザの視線の位置に関する情報に対応する装置の種別を示すデータを取得することができれば、当該装置の種別を示すデータの取得方法は、限られない。
【０１００】
そして、本実施形態に係る情報処理装置は、例えば、装置の種別を示すデータと範囲の調整量とが対応付けられたテーブル（または、データベース）と、取得された装置の種別を示すデータとを用いて、取得された装置の種別を示すデータに対応する範囲の調整量を特定して、範囲情報が示す範囲を調整する。
【０１０１】
なお、第３の例に係る評価値算出処理の第２の例に係る、範囲情報が示す範囲の調整方法が、上記に示す例に限られないことは、言うまでもない。
【０１０２】
（１−３−３）第３の例に係る評価値算出処理の第３の例
本実施形態に係る情報処理装置は、例えば、ユーザの視線の位置に関する情報に対応する表示画面における位置と、ユーザの視線の位置に関する情報に対応するユーザとの距離に基づいて、範囲情報が示す範囲を調整する。また、本実施形態に係る情報処理装置は、例えば、ユーザの視線の位置に関する情報に対応する実オブジェクトにおける位置と、ユーザの視線の位置に関する情報に対応するユーザとの距離に基づいて、範囲情報が示す範囲を調整してもよい。以下では、第３の例に係る評価値算出処理の第３の例に係る、“ユーザの視線の位置に関する情報に対応する表示画面における位置と、ユーザの視線の位置に関する情報に対応するユーザとの距離”と“ユーザの視線の位置に関する情報に対応する実オブジェクトにおける位置と、ユーザの視線の位置に関する情報に対応するユーザとの距離”とを、「第３の例に係る評価値算出処理の第３の例に係る距離」と示す場合がある。
【０１０３】
ここで、第３の例に係る評価値算出処理の第３の例に係る距離は、例えば、ユーザの目の位置を基準として算出される。なお、上記距離の算出に係るユーザの基準位置は、目の位置に限られず、例えば、ユーザの頭部の中心位置など、ユーザに係る他の位置であってもよい。また、第３の例に係る評価値算出処理の第３の例に係る距離は、例えば、赤外線などを利用した深度センサの検出値に基づいて、外部装置、または、本実施形態に係る情報処理装置において算出される。なお、本実施形態に係る第３の例に係る評価値算出処理の第３の例に係る距離を得ることができれば、第３の例に係る評価値算出処理の第３の例に係る距離の取得方法は、限られない。
【０１０４】
ユーザから視線の先までの距離が遠ければ遠い程、ユーザの視線の位置に関する情報に基づく視線の位置の誤差が大きくなる可能性が高い。
【０１０５】
よって、本実施形態に係る情報処理装置は、例えば、第３の例に係る評価値算出処理の第３の例に係る距離が遠くなる程、範囲情報が示す範囲を、範囲が大きくなるように調整する。
【０１０６】
具体例を挙げると、本実施形態に係る情報処理装置は、例えば、第３の例に係る評価値算出処理の第３の例に係る距離に比例して、範囲情報が示す範囲を、範囲が大きくなるように調整する。また、本実施形態に係る情報処理装置は、例えば、第３の例に係る評価値算出処理の第３の例に係る距離と、範囲の調整量とが対応付けられたテーブル（または、データベース）を用いて、第３の例に係る評価値算出処理の第３の例に係る距離に対応する範囲の調整量を特定することにより、範囲情報が示す範囲を、範囲が大きくなるように調整してもよい。なお、第３の例に係る評価値算出処理の第３の例に係る、範囲情報が示す範囲の調整方法が、上記に示す例に限られないことは、言うまでもない。
【０１０７】
（１−３−４）第３の例に係る評価値算出処理の第４の例
本実施形態に係る情報処理装置は、例えば、ユーザの視線の位置に関する情報に対応する表示画面に対する、ユーザの視線の位置に関する情報に対応するユーザの位置に基づいて、範囲情報が示す範囲を調整する。また、本実施形態に係る情報処理装置は、例えば、ユーザの視線の位置に関する情報に対応する実オブジェクトに対する、ユーザの視線の位置に関する情報に対応するユーザの位置に基づいて、範囲情報が示す範囲を調整してもよい。以下では、第３の例に係る評価値算出処理の第４の例に係る、“ユーザの視線の位置に関する情報に対応する表示画面に対する、ユーザの視線の位置に関する情報に対応するユーザの位置”と“ユーザの視線の位置に関する情報に対応する実オブジェクトに対する、ユーザの視線の位置に関する情報に対応するユーザの位置”とを、「第３の例に係る評価値算出処理の第４の例に係るユーザの位置」と示す場合がある。
【０１０８】
例えば、ユーザの目の動きが同じであっても、ユーザが、表示画面や実オブジェクトに正対している場合よりも、表示画面や実オブジェクトに正対していない場合の方が、ユーザの視線の位置に関する情報に基づく視線の位置の移動量が大きくなる。つまり、ユーザが表示画面や実オブジェクトに正対していない程、ユーザの視線の位置に関する情報に基づく視線の位置の誤差が大きくなる可能性が高い。
【０１０９】
よって、本実施形態に係る情報処理装置は、例えば、第３の例に係る評価値算出処理の第４の例に係るユーザの位置に基づいて、範囲情報が示す範囲の調整量を変える。本実施形態に係る情報処理装置は、例えば、ユーザが表示画面や実オブジェクトに正対していない程、範囲情報が示す範囲を、範囲が大きくなるように調整する。
【０１１０】
ここで、第３の例に係る評価値算出処理の第４の例に係るユーザの位置は、例えば、位置検出センサの検出値や、撮像画像に基づいて、外部装置、または、本実施形態に係る情報処理装置において特定（または推定）される。なお、第３の例に係る評価値算出処理の第４の例に係るユーザの位置を得ることができれば、第３の例に係る評価値算出処理の第４の例に係るユーザの位置の取得方法は、限られない。
【０１１１】
具体例を挙げると、本実施形態に係る情報処理装置は、例えば、第３の例に係る評価値算出処理の第４の例に係るユーザの位置に基づいて、表示画面や実オブジェクトに対して設定された基準方向に対する角度を特定（または推定）する。上記基準方向は、例えば、予め設定されていてもよいし、表示画面や実オブジェクトが含まれる撮像画像などに基づいて設定されてもよい。そして、本実施形態に係る情報処理装置は、例えば、角度と範囲の調整量とが対応付けられたテーブル（または、データベース）を用いて、特定された角度に対応する範囲の調整量を特定することにより、範囲情報が示す範囲を調整する。なお、第３の例に係る評価値算出処理の第４の例に係る、範囲情報が示す範囲の調整方法が、上記に示す例に限られないことは、言うまでもない。
【０１１２】
（１−３−５）第３の例に係る評価値算出処理の第５の例
例えば、ユーザの視線の位置に関する情報の取得に係る方法や、ユーザの視線の位置に関する情報の取得に係るデバイスの機能（例えば、視線の位置の検出に係る分解能などの、当該デバイスの特性）によっては、ユーザの視線の位置に関する情報に基づく視線の位置の誤差が異なる場合がある。
【０１１３】
そこで、本実施形態に係る情報処理装置は、例えば、ユーザの視線の位置に関する情報の取得に係る方法と、ユーザの視線の位置に関する情報の取得に係るデバイスとのうちの、一方または双方に基づいて、範囲情報が示す範囲を調整してもよい。
【０１１４】
具体例を挙げると、本実施形態に係る情報処理装置は、例えば、ユーザの視線の位置に関する情報の取得に係る方法を示すデータ（例えば、当該方法を示すＩＤなど）や、ユーザの視線の位置に関する情報の取得に係るデバイスの種別を示すデータ（例えば、装置ＩＤなど）を取得する。本実施形態に係る情報処理装置は、例えば、ユーザの視線の位置に関する情報の取得に係るデバイスや、ユーザの視線の位置に関する情報の取得に係るデバイスを管理するサーバなどと通信を行うことによって、ユーザの視線の位置に関する情報の取得に係る方法を示すデータ、および／または、ユーザの視線の位置に関する情報の取得に係るデバイスの種別を示すデータを取得する。なお、ユーザの視線の位置に関する情報の取得に係る方法を示すデータ、および／または、ユーザの視線の位置に関する情報の取得に係るデバイスの種別を示すデータを取得することができれば、ユーザの視線の位置に関する情報の取得に係る方法を示すデータ、ユーザの視線の位置に関する情報の取得に係るデバイスの種別を示すデータの取得方法は、限られない。
【０１１５】
ユーザの視線の位置に関する情報の取得に係る方法を示すデータのみが取得された場合には、本実施形態に係る情報処理装置は、例えば、ユーザの視線の位置に関する情報の取得に係る方法を示すデータと範囲の調整量とが対応付けられたテーブル（または、データベース）と、取得されたユーザの視線の位置に関する情報の取得に係る方法を示すデータとを用いて、取得されたユーザの視線の位置に関する情報の取得に係る方法を示すデータに対応する範囲の調整量を特定して、範囲情報が示す範囲を調整する。
【０１１６】
また、ユーザの視線の位置に関する情報の取得に係るデバイスの種別を示すデータのみが取得された場合には、本実施形態に係る情報処理装置は、例えば、ユーザの視線の位置に関する情報の取得に係るデバイスの種別を示すデータと範囲の調整量とが対応付けられたテーブル（または、データベース）と、取得されたユーザの視線の位置に関する情報の取得に係るデバイスの種別を示すデータとを用いて、取得されたユーザの視線の位置に関する情報の取得に係るデバイスの種別を示すデータに対応する範囲の調整量を特定して、範囲情報が示す範囲を調整する。
【０１１７】
また、ユーザの視線の位置に関する情報の取得に係る方法を示すデータとユーザの視線の位置に関する情報の取得に係るデバイスの種別を示すデータとの双方が取得された場合には、本実施形態に係る情報処理装置は、例えば、“ユーザの視線の位置に関する情報の取得に係る方法を示すデータ、ユーザの視線の位置に関する情報の取得に係るデバイスの種別を示すデータ、および範囲の調整量とが対応付けられたテーブル（または、データベース）”と、取得された“ユーザの視線の位置に関する情報の取得に係る方法を示すデータ、およびユーザの視線の位置に関する情報の取得に係るデバイスの種別を示すデータ”とを用いて、取得された“ユーザの視線の位置に関する情報の取得に係る方法を示すデータ、およびユーザの視線の位置に関する情報の取得に係るデバイスの種別を示すデータ”に対応する範囲の調整量を特定して、範囲情報が示す範囲を調整する。
【０１１８】
なお、第３の例に係る評価値算出処理の第５の例に係る、範囲情報が示す範囲の調整方法が、上記に示す例に限られないことは、言うまでもない。
【０１１９】
（１−３−６）第３の例に係る評価値算出処理の第６の例
本実施形態に係る情報処理装置は、例えば、上記第３の例に係る評価値算出処理の第２の例〜上記第３の例に係る評価値算出処理の第５の例のうちの、２以上の処理を組み合わせた処理によって、範囲の調整量を特定して、範囲情報が示す範囲を調整することも可能である。また、複数の処理を組み合わせる場合、本実施形態に係る情報処理装置は、例えば、各処理に対して範囲の調整量に対する優先度や重み付けを付けてもよい。
【０１２０】
（１−４）評価値算出処理の第４の例
本実施形態に係る情報処理装置は、例えば、上記（１−２）に示す第２の例に係る評価値算出処理と、上記（１−３）に示す第３の例に係る評価値算出処理とを組み合わせた処理を、本実施形態に係る評価値算出処理として行うことも可能である。
【０１２１】
本実施形態に係る情報処理装置は、本実施形態に係る情報処理方法に係る処理として、例えば、上記（１−１）に示す第１の例に係る評価値算出処理〜上記（１−４）に示す第４の例に係る評価値算出処理に示すような本実施形態に係る評価値算出処理を行うことによって、ユーザの視線の位置に関する情報と、範囲情報とに基づいて、特定された本実施形態に係る評価値を算出する範囲ごとに評価値を算出する。
【０１２２】
したがって、本実施形態に係る情報処理装置は、ユーザの視線の位置に基づいて、ユーザの視線に関する評価値を算出することができる。
【０１２３】
なお、本実施形態に係る情報処理方法に係る処理は、上記（１）に示す処理（評価値算出処理）に限られない。例えば、本実施形態に係る情報処理装置は、本実施形態に係る範囲情報の生成に係る処理である生成処理、本実施形態に係る評価値を用いた処理である実行処理のうちの、一方または双方の処理を、本実施形態に係る情報処理方法に係る処理としてさらに行うことも可能である。
【０１２４】
（２）生成処理
本実施形態に係る情報処理装置は、例えば、評価値を算出する範囲を設定し、設定された範囲に対応する範囲情報を生成する。
【０１２５】
本実施形態に係る情報処理装置は、例えば、ユーザ操作に基づき指定された範囲を、本実施形態に係る範囲として設定する。ユーザ操作に基づく範囲の指定は、例えば、スライダや、タブ、ボタンなどのユーザ操作が可能な任意のインタフェースを用いて行うことが可能である。
【０１２６】
一例を挙げると、本実施形態に係る範囲をユーザに設定させるためのユーザインタフェースとしては、例えば、評価値を算出する範囲が設定される対象に対応する画像（例えば、実際に表示される画像）を表示画面に表示させて、ユーザのポインティング操作を可能とするインタフェースが挙げられる。本実施形態に係るポインティング操作を可能とするインタフェースの具体例としては、例えば下記の（ｉ）、（ｉｉ）に示す例が挙げられる。
【０１２７】
（ｉ）既に特定されている小領域の中からユーザにより選択された小領域に基づいて、小領域以上の大きさの領域を本実施形態に係る範囲として設定することが可能なインタフェース
（ｉ）に係るインタフェースが用いられることによって、例えば“表示画面に設定されている複数の小領域である小領域Ａ〜小領域Ｚの中から、ユーザにより選択された小領域である小領域Ａ、小領域Ｂ、小領域Ｃが、本実施形態に係る範囲として設定されること”などが、実現される。
【０１２８】
（ｉｉ）ユーザにより指定された範囲に対応する座標値に基づいて、ユーザにより指定された範囲を、本実施形態に係る範囲として設定することが可能なインタフェース
（ｉｉ）に係るインタフェースが用いられることによって、例えば“ユーザが、評価値を算出する範囲が設定される対象に対応する画像上において、矩形、円形、またはフリーフォームなどにより範囲を指定することによって、ユーザが自由に指定した範囲が、本実施形態に係る範囲として設定されること”などが、実現される。
【０１２９】
また、本実施形態に係る情報処理装置は、評価値を算出する範囲が設定される対象を解析し、解析結果に基づいて本実施形態に係る範囲を設定することも可能である。解析結果に基づいて本実施形態に係る範囲が設定される例としては、例えば、図１のＢや図１のＣに示すように、ページ内に含まれる記事単位や、記事の構成要素単位で、本実施形態に係る範囲が設定される例が挙げられる。
【０１３０】
本実施形態に係る生成処理が行われる場合、本実施形態に係る情報処理装置は、例えば、上記（１）の処理（評価値算出処理）において、生成された範囲情報を用いることが可能となる。
【０１３１】
また、本実施形態に係る生成処理により生成された範囲情報は、記憶部（図示せず）や外部記録媒体などの記録媒体に記録されてもよい。本実施形態に係る情報処理装置は、例えば、上記（１）の処理（評価値算出処理）において、記録媒体に記憶されている範囲情報を用いることも可能である。
【０１３２】
（３）実行処理
本実施形態に係る情報処理装置は、例えば、本実施形態に係る範囲ごとに算出された評価値に基づいて処理を行う。
【０１３３】
（３−１）実行処理の第１の例
本実施形態に係る情報処理装置は、本実施形態に係る範囲ごとに算出された評価値をまとめたデータを生成する。また、本実施形態に係る情報処理装置は、生成した評価値をまとめたデータを、表示画面に表示させてもよい。本実施形態に係る情報処理装置が生成した評価値をまとめたデータを表示させる表示画面としては、例えば、本実施形態に係る情報処理装置が備える表示部（後述する）の表示画面や、外部の表示デバイスの表示画面が挙げられる。
【０１３４】
図８は、本実施形態に係る情報処理方法に係る処理の一例を説明するための説明図であり、本実施形態に係る情報処理装置が生成した評価値をまとめたデータの一例を示している。
【０１３５】
本実施形態に係る情報処理装置は、例えば図８に示すように、評価値が大きい順に本実施形態に係る範囲を並び替えたデータを生成する。ここで、評価値が大きい順とは、例えば、ユーザの注目度が高い順に相当する。
【０１３６】
また、例えば、評価値を算出する範囲が設定される対象が、雑誌や書籍などの複数ページを有する媒体である場合を例に挙げると、本実施形態に係る情報処理装置は、例えば、複数ページ分の評価値をまとめたデータを生成してもよいし、任意の１ページ分の評価値をまとめたデータを生成してもよい。評価値を算出する範囲が設定される対象が動画像などの他の対象である場合においても、本実施形態に係る情報処理装置は、同様に、様々な単位で評価値をまとめたデータを生成することが可能である。
【０１３７】
（３−２）実行処理の第２の例
本実施形態に係る情報処理装置は、例えば、本実施形態に係る範囲ごとに算出された評価値の解析に係るＵＩ（User  Interface）を表示画面に表示させる。本実施形態に係る評価値の解析に係るＵＩを表示させる表示画面としては、例えば、本実施形態に係る情報処理装置が備える表示部（後述する）の表示画面や、外部の表示デバイスの表示画面が挙げられる。
【０１３８】
図９は、本実施形態に係る情報処理方法に係る処理の一例を説明するための説明図であり、本実施形態に係る情報処理装置が表示画面に表示させる、評価値の解析に係るＵＩの一例を示している。
【０１３９】
図９に示す例を参照すると、評価値の解析に係るＵＩは、例えば、評価値を算出する範囲が設定される対象（図９に示すＡ）と、評価値をまとめたデータ（図９に示すＢ）と、評価値をまとめる単位を指定するタブ（図９に示すＣ）と、本実施形態に係る範囲の粒度を調整するスライダ（図９に示すＤ）とを有する。
【０１４０】
ここで、例えば図９のＣに示すタブが示す評価値をまとめる単位としては、例えば、“Ｏｖｅｒａｌｌ（全体での集計）”や、“Ｐａｇｅ（ページごとの集計）”、“Ｃｏｎｔｅｎｔ  Ｔｙｐｅ（コンテンツの種類ごとの集計）”などが挙げられる。また、図９のＤに示すスライダにより、例えば図１を参照して示したような、様々な本実施形態に係る評価値を算出する範囲を指定することが可能である。また、評価値を算出する範囲が設定される対象（図９に示すＡ）と、評価値をまとめたデータ（図９に示すＢ）とは、例えば、図９のＥ１、Ｅ２に示すように、対応付けられてもよい。
【０１４１】
また、本実施形態に係る情報処理装置は、例えば図９のＡ、図１０、図１１に示すように、評価値の算出に係るスコア値（評価値の算出に係る値）を、スコア値の大きさに応じた色により視覚化して、表示画面に表示させてもよい。
【０１４２】
ここで、スコア値の大きさに応じた色による視覚化は、例えば、“ユーザの視線が、表示画面上や実オブジェクト上においてどのように分布し、どれだけの時間滞在したか”を、色分けして表現したものである。スコア値の大きさに応じた色による視覚化は、例えば、ユーザが注目した箇所を色によって視覚的に表すことに該当する。
【０１４３】
よって、スコア値が視覚化されることによって、評価値の解析を行う解析者は、より直感的に評価値の解析を行うことができる。
【０１４４】
なお、本実施形態に係る情報処理装置が表示画面に表示させる、評価値の解析に係るＵＩの例は、図９に示す例に限られない。
【０１４５】
図１０、図１１は、本実施形態に係る情報処理方法に係る処理の一例を説明するための説明図であり、本実施形態に係る情報処理装置が表示画面に表示させる、評価値の解析に係るＵＩの他の例をそれぞれ示している。
【０１４６】
例えば図１０のＡ１、Ａ２、Ｂ１、Ｂ２に示すように、評価値を算出する範囲が設定される対象と、評価値をまとめたデータとは、色によって対応付けられてもよい。
【０１４７】
また、例えば図１１に示すように、評価値を算出する範囲が設定される対象には、本実施形態に係る範囲に対して評価値をまとめたデータに基づくランキングの番号が表示されていてもよい。
【０１４８】
本実施形態に係る評価値の解析に係るＵＩの例としては、例えば図９〜図１１に示す例が挙げられる。なお、本実施形態に係る評価値の解析に係るＵＩの例が、図９〜図１１に示す例に限られないことは、言うまでもない。
【０１４９】
（３−３）実行処理の第３の例
本実施形態に係る情報処理装置は、例えば、評価値を算出する範囲が設定される対象と、評価値の算出に係るスコア値（評価値の算出に係る値）とに基づいて、評価値を算出する範囲が設定される対象に含まれるオブジェクトの中から、ユーザが注目しているオブジェクトを抽出する。そして、本実施形態に係る情報処理装置は、例えば、抽出されたオブジェクトに対応する商品を、おすすめの商品として表示画面に表示させる。本実施形態に係るおすすめの商品を表示させる表示画面としては、例えば、本実施形態に係る情報処理装置が備える表示部（後述する）の表示画面や、外部の表示デバイスの表示画面が挙げられる。
【０１５０】
図１２は、本実施形態に係る情報処理方法に係る処理の一例を説明するための説明図である。図１２に示すＡは、評価値を算出する範囲が設定される対象に対して、スコア値の大きさに応じた色によるユーザが注目した箇所が視覚化が行われた例を示している。また、図１２に示すＢは、本実施形態に係る情報処理装置が表示画面に表示させる、おすすめの商品の表示の一例を示している。
【０１５１】
図１２では、図１２のＡに示すＩ１〜Ｉ３に対応するブラウス、時計、ネックレスが、図１２のＢに示すように、おすすめの商品として表示画面に表示された例を示している。
【０１５２】
（３−４）実行処理の第４の例
本実施形態に係る情報処理装置は、例えば、“評価値、および／または、評価値の算出に係るスコア値（評価値の算出に係る値）”と、“評価値を算出する範囲が設定される対象”とに基づいて、評価値を算出する範囲が設定される対象に含まれるユーザが注目したコンテンツを特定する。本実施形態に係る情報処理装置は、例えば、評価値を算出する範囲が設定される対象に含まれるコンテンツのうち、評価値が高いコンテンツ、および／または、評価値の算出に係るスコア値が高いコンテンツを、ユーザが注目したコンテンツとして特定する。
【０１５３】
そして、本実施形態に係る情報処理装置は、例えば、特定されたユーザが注目したコンテンツに関連した、他のコンテンツをユーザに対して提示する。本実施形態に係る情報処理装置は、例えば、本実施形態に係る情報処理装置が備える表示部（後述する）の表示画面や、外部の表示デバイスの表示画面に、上記他のコンテンツに係る画像を表示させることによって、他のコンテンツをユーザに対して提示する。
【０１５４】
図１３は、本実施形態に係る情報処理方法に係る処理の一例を説明するための説明図であり、本実施形態に係る情報処理装置が、第４の例に係る実行処理によって提示する他のコンテンツの概要を示している。
【０１５５】
例えば、ユーザが、キーワード「ＡＢＣ」を含む記事（コンテンツの一例）に注目していると特定された場合には、本実施形態に係る情報処理装置は、キーワード「ＡＢＣ」に関連する他のコンテンツを提示する。また、例えば、ユーザが、キーワード「ＸＹＺ」を含む記事（コンテンツの一例）に注目していると特定された場合には、本実施形態に係る情報処理装置は、キーワード「ＸＹＺ」に関連する他のコンテンツを提示する。
【０１５６】
（３−５）実行処理の第５の例
本実施形態に係る情報処理装置は、例えば、上記（１）の処理（評価値算出処理）によって算出された評価値や、評価値の算出に係るスコア値（評価値の算出に係る値）を、サーバなどの外部装置に対して送信させる。また、本実施形態に係る情報処理装置は、評価値を算出する範囲が設定される対象を示すデータを、さらにサーバなどの外部装置に対して送信させてもよい。
【０１５７】
本実施形態に係る情報処理装置は、例えば、本実施形態に係る情報処理装置が備える通信部（後述する）や、外部の通信デバイスに、評価値やスコア値などを示すデータを、サーバなどの外部装置に対して送信させる。
【０１５８】
ここで、本実施形態に係る情報処理装置が送信する評価値やスコア値などを示すデータは、例えば、ユーザの視線に関するログの役目を果たす。以下では、本実施形態に係る情報処理装置が送信する評価値やスコア値などを示すデータを、「コンテンツ・視線ログ」と示す場合がある。
【０１５９】
本実施形態に係る情報処理装置が、第５の例に係る実行処理を行う場合、例えば、下記に示すような情報処理システムを実現することが可能となる。
【０１６０】
［本実施形態に係る情報処理システムの一例］
図１４は、本実施形態に係る情報処理システムの一例を説明するための説明図である。図１４では、“どの広告にどれだけ視線があったかが解析され、解析結果に応じて広告料金が決定される仕組み”を有する本実施形態に係る情報処理システムを示している。
【０１６１】
本実施形態に係る情報処理システムは、本実施形態に係る情報処理装置と、コンテンツ・視線ログを管理するサーバと、コンテンツを提供するコンテンツプロバイダと、広告を提供する広告プロバイダとを有する。
【０１６２】
なお、図１４では、本実施形態に係る情報処理システムが、３つの本実施形態に係る情報処理装置を有する構成を示しているが、本実施形態に係る情報処理システムが有する本実施形態に係る情報処理装置の数は、３つに限られない。本実施形態に係る情報処理システムは、１または２以上の本実施形態に係る情報処理装置を有する構成をとることが可能である。
【０１６３】
図１４に示す本実施形態に係る情報処理システムでは、広告プロバイダがコンテンツプロバイダに対して広告を出稿する。また、図１４に示す本実施形態に係る情報処理システムでは、コンテンツプロバイダが、出稿された広告についての視線データを、広告プロバイダに対して提供する。そして、広告プロバイダは、出稿した広告についての視線データに応じた料金を、広告料としてコンテンツプロバイダに対して支払う。
【０１６４】
ここで、本実施形態に係る視線データとしては、例えば、本実施形態に係る情報処理装置が送信する評価値やスコア値などを示すデータを含むデータが挙げられる。また、本実施形態に係る視線データには、例えば、本実施形態に係る情報処理装置が送信する評価値やスコア値などを示すデータがサーバに記憶された時刻を示すデータが含まれていてもよい。
【０１６５】
本実施形態に係る広告料の決定方法としては、例えば、下記に示すような方法が挙げられる。
・コンテンツプロバイダは、本実施形態に係る情報処理装置それぞれから収集した広告に対する視線に係るスコア値の集計を期間を区切って行う。
・広告プロバイダからコンテンツプロバイダに対して支払われる広告料は、例えば、スコア値の集計値に、スコア単価を乗算した料金とする。
【０１６６】
ここで、本実施形態に係るスコア単価は、例えば、広告の大きさや、表示場所、色数、解像度などの１または２以上のパラメータに基づき設定される。また、広告が動画像で表される場合、本実施形態に係るスコア単価は、さらに再生時間に基づき設定されてもよい。
【０１６７】
なお、本実施形態に係る広告料の決定方法は、上記に限られない。例えば、本実施形態に係る広告料は、スコア単価は固定として、上記に示すようなパラメータに応じた規定料金であってもよい。本実施形態に係る広告料が規定料金である場合、広告プロバイダは、例えば、規定料金を予めコンテンツプロバイダに対して支払うことも可能である。
【０１６８】
例えば、図１４に示す本実施形態に係る情報処理システムにおいて、本実施形態に係る視線データに基づき広告料が決定される場合には、コンテンツプロバイダが、本実施形態に係る視線データを得る必要がある。また、コンテンツプロバイダが、本実施形態に係る視線データを得るためには、例えば、テキストや画像などをみるユーザの視線の検出に係るデバイスの検出範囲内に、ユーザの顔が入るように誘導する必要がある。特に、ユーザが視線を向けるテキストや画像などが表示される機器が、タブレット型の装置や、スマートフォンなどの通信装置などの、いわゆるポータブル機器である場合には、顔が上記視線の検出に係るデバイスの検出範囲内に入るように、当該ポータブル機器を持ったり置いたりするように、ユーザを誘導する必要性が高い。
【０１６９】
そこで、本実施形態に係る情報処理システムでは、例えば、ユーザに対してインセンティブを与えることによって、視線検出の状態を維持するように、ユーザを誘導する。
【０１７０】
本実施形態に係る情報処理システムにおいてユーザに対して与えられるインセンティブとしては、例えば下記に示す例が挙げられる。
・従来は有料会員のみが閲覧や利用することができたコンテンツやアプリケーションについて、視線が検出できている間だけ利用できることを条件として、ユーザが、無料または値引きされた値段で、コンテンツの閲覧やアプリケーションの利用を行うことができるようにする。
・視線が検出できているときだけ表示される、特別なコンテンツを提供する。
・視線が検出された積算時間、またはコンテンツ閲覧時間のうち、視線を検出することができている時間が占める割合に応じて、ポイントなどの特典を与える。
【０１７１】
また、コンテンツプロバイダは、本実施形態に係る情報処理システムにおいてユーザに対して与えられるインセンティブの予算を、例えば、広告プロバイダから受け取る見込みの広告料から、コンテンツ製作費やサーバー運用費、必要経費などを考慮して決定する。
【０１７２】
また、本実施形態に係る情報処理システムにおける運用時のインセンティブの大きさ決定方法としては、例えば、下記に示す例が挙げられる。なお、下記に示す例は、特典ポイントがインセンティブとして与えらえる場合の例である。
・段階に分けて決定：例えば、３秒見たら１ポイント、８秒見たら３ポイント、１５秒見たら６ポイントなど
・視線が検出される時間にポイント単位を乗算して決定：例えば、“付与ポイント数 ＝（視線が検出された時間）×（単位時間あたりのポイント数）
・上記段階に分けて決定する例、上記視線が検出される時間にポイント単位を乗算して決定する例それぞれにおいて、付与されるポイント数に上限を設ける。
【０１７３】
本実施形態に係る情報処理システムの一例としては、例えば図１４に示すような“どの広告にどれだけ視線があったかが解析され、解析結果に応じて広告料金が決定される仕組み”を有する情報処理システムが挙げられる。なお、本実施形態に係る情報処理システムの例が、図１４に示す例に限られないことは、言うまでもない。
【０１７４】
（本実施形態に係る情報処理装置）
次に、上述した本実施形態に係る情報処理方法に係る処理を行うことが可能な、本実施形態に係る情報処理装置の構成の一例について、説明する。
【０１７５】
図１５は、本実施形態に係る情報処理装置１００の構成の一例を示すブロック図である。情報処理装置１００は、例えば、通信部１０２と、制御部１０４とを備える。
【０１７６】
また、情報処理装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。情報処理装置１００は、例えば、データの伝送路としてのバス（bus）により上記各構成要素間を接続する。
【０１７７】
ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１７８】
記憶部（図示せず）は、情報処理装置１００が備える記憶手段であり、例えば、本実施形態に係る範囲情報などの本実施形態に係る情報処理方法に係るデータや、アプリケーションなど様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、情報処理装置１００から着脱可能であってもよい。
【０１７９】
操作部（図示せず）としては、後述する操作入力デバイスが挙げられる。また、表示部（図示せず）としては、後述する表示デバイスが挙げられる。
【０１８０】
［情報処理装置１００のハードウェア構成例］
図１６は、本実施形態に係る情報処理装置１００のハードウェア構成の一例を示す説明図である。情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【０１８１】
ＭＰＵ１５０は、例えば、ＭＰＵ（Micro  Processing  Unit）などの演算回路で構成されるプロセッサや、各種処理回路などで構成され、情報処理装置１００全体を制御する制御部１０４として機能する。また、ＭＰＵ１５０は、情報処理装置１００において、例えば、後述する生成部１１０、評価値算出部１１２、および処理部１１４の役目を果たす。
【０１８２】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１８３】
記録媒体１５６は、記憶部（図示せず）として機能し、例えば、本実施形態に係る範囲情報などの本実施形態に係る情報処理方法に係るデータや、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、情報処理装置１００から着脱可能であってもよい。
【０１８４】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。
【０１８５】
また、操作入力デバイス１６０は、例えば、情報処理装置１００上に備えられ、情報処理装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。
【０１８６】
また、表示デバイス１６２は、例えば、情報処理装置１００上に備えられ、情報処理装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。
【０１８７】
なお、入出力インタフェース１５８が、情報処理装置１００の外部装置としての操作入力デバイス（例えば、キーボードやマウスなど）や表示デバイスなどの、外部デバイスと接続することも可能であることは、言うまでもない。また、表示デバイス１６２は、例えばタッチスクリーンなど、表示とユーザ操作とが可能なデバイスであってもよい。
【０１８８】
通信インタフェース１６４は、情報処理装置１００が備える通信手段であり、ネットワークを介して（あるいは、直接的に）、外部の撮像デバイスや外部の表示デバイス、外部のセンサなどの外部デバイスや、サーバなどの外部装置と、無線または有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ：Wireless  Local  Area  Network）や基地局を介した無線ＷＡＮ（ＷＷＡＮ：Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１８９】
情報処理装置１００は、例えば図１６に示す構成によって、本実施形態に係る情報処理方法に係る処理を行う。なお、本実施形態に係る情報処理装置１００のハードウェア構成は、図１６に示す構成に限られない。
【０１９０】
例えば、情報処理装置１００は、動画像または静止画像を撮像する撮像部（図示せず）の役目を果たす撮像デバイスを備えていてもよい。撮像デバイスを備える場合には、情報処理装置１００は、例えば、撮像デバイスにおいて撮像により生成された撮像画像を処理して、ユーザの視線の位置に関する情報を得ることが可能となる。
【０１９１】
ここで、本実施形態に係る撮像デバイスとしては、例えば、レンズ／撮像素子と信号処理回路とが挙げられる。レンズ／撮像素子は、例えば、光学系のレンズと、ＣＭＯＳ（Complementary  Metal  Oxide  Semiconductor）などの撮像素子を複数用いたイメージセンサとで構成される。信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換する。また、信号処理回路は、例えば、Ｗｈｉｔｅ  Ｂａｌａｎｃｅ補正処理や、色調補正処理、ガンマ補正処理、ＹＣｂＣｒ変換処理、エッジ強調処理など各種信号処理を行ってもよい。
【０１９２】
また、情報処理装置１００は、例えば、本実施形態に係るユーザの視線の位置の特定に用いることが可能なデータを得る検出部（図示せず）の役目を果たすセンサをさらに備えていてもよい。センサを備える場合には、情報処理装置１００は、例えば、センサから得られるデータを用いて、ユーザの視線の位置の推定精度の向上を図ることが可能となる。
【０１９３】
本実施形態に係るセンサとしては、例えば、赤外線センサなど、ユーザの視線の位置の推定精度の向上に用いることが可能な検出値を得る任意のセンサが挙げられる。
【０１９４】
また、情報処理装置１００は、例えば、スタンドアロンで処理を行う構成である場合には、通信デバイス１６４を備えていなくてもよい。また、情報処理装置１００は、記憶媒体１５６や、操作デバイス１６０、表示デバイス１６２を備えない構成をとることも可能である。
【０１９５】
再度図１５を参照して、情報処理装置１００の構成の一例について説明する。通信部１０２は、情報処理装置１００が備える通信手段であり、ネットワークを介して（あるいは、直接的に）、外部の撮像デバイスや外部の表示デバイス、外部のセンサなどの外部デバイスや、サーバなどの外部装置と、無線または有線で通信を行う。また、通信部１０２は、例えば制御部１０４により通信が制御される。
【０１９６】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など通信を行うことが可能な任意の規格に対応する構成や、ネットワークを介して外部装置と通信可能な任意の構成をとることができる。
【０１９７】
制御部１０４は、例えばＭＰＵなどで構成され、情報処理装置１００全体を制御する役目を果たす。また、制御部１０４は、例えば、生成部１１０と、評価値算出部１１２と、処理部１１４とを備え、本実施形態に係る情報処理方法に係る処理を主導的に行う役目を果たす。
【０１９８】
生成部１１０は、上記（２）の処理（生成処理）を主導的に行う役目を果たす。生成部１１０は、例えば、本実施形態に係る範囲を設定し、設定された範囲に対応する範囲情報を生成する。
【０１９９】
評価値算出部１１２は、上記（１）の処理（評価値算出処理）を主導的に行う役目を果たし、ユーザの視線の位置に関する情報と、範囲情報とに基づいて、特定された本実施形態に係る範囲ごとに評価値を算出する。より具体的には、評価値算出部１１２は、例えば、上記（１−１）に示す第１の例に係る評価値算出処理〜上記（１−４）に示す第４の例に係る評価値算出処理のうちのいずれかの処理を行う。
【０２００】
評価値算出部１１２は、例えば、生成部１１０が生成した範囲情報、および／または、記憶部（図示せず）や外部記録媒体に記憶されている範囲情報を処理に用いる。また、評価値算出部１１２は、例えば、通信部１０２や、外部通信デバイスを介して外部装置から取得された範囲情報を処理に用いることも可能である。
【０２０１】
処理部１１４は、上記（３）の処理（実行処理）を主導的に行う役目を果たし、例えば、本実施形態に範囲ごとに算出された評価値に基づいて処理を行う。また、処理部１１４は、例えば、評価値の算出に係るスコア値（評価値の算出に係る値）に基づいて処理を行うことも可能である。
【０２０２】
より具体的には、処理部１１４は、例えば、上記（３−１）に示す第１の例に係る実行処理〜上記（３−５）に示す第５の例に係る評価値算出処理のうちの、１または２以上の処理を行う。
【０２０３】
制御部１０４は、例えば、生成部１１０、評価値算出部１１２、および処理部１１４を備えることによって、本実施形態に係る情報処理方法に係る処理を主導的に行う。
【０２０４】
情報処理装置１００は、例えば図１５に示す構成によって、本実施形態に係る情報処理方法に係る処理（例えば、上記（１）の処理（評価値算出処理）〜上記（３）の処理（実行処理））を行う。
【０２０５】
したがって、情報処理装置１００は、例えば図１５に示す構成によって、ユーザの視線の位置に基づいて、ユーザの視線に関する評価値を算出することができる。
【０２０６】
また、例えば図１５に示す構成によって、情報処理装置１００は、例えば上述したような、本実施形態に係る情報処理方法に係る処理が行われることにより奏される効果を、奏することができる。
【０２０７】
なお、本実施形態に係る情報処理装置の構成は、図１５に示す構成に限られない。
【０２０８】
例えば、本実施形態に係る情報処理装置は、図１５に示す生成部１１０、評価値算出部１１２、および処理部１１４のうちの１または２以上を、制御部１０４とは個別に備える（例えば、別の処理回路で実現する）ことができる。
【０２０９】
また、本実施形態に係る情報処理装置は、例えば、図１５に示す生成部１１０、処理部１１４の一方または双方を備えない構成をとることも可能である。生成部１１０、処理部１１４の一方または双方を備えない構成であっても、本実施形態に係る情報処理装置は、上記（１）の処理（評価値算出処理）を行うことが可能である。よって、生成部１１０、処理部１１４の一方または双方を備えない構成であっても、本実施形態に係る情報処理装置は、ユーザの視線の位置に基づいて、ユーザの視線に関する評価値を算出することができる。
【０２１０】
また、例えば、通信部１０２と同様の機能、構成を有する外部の通信デバイスを介して、外部のデバイスや外部装置と通信を行う場合や、スタンドアロンで処理を行う構成である場合には、本実施形態に係る情報処理装置は、通信部１０２を備えていなくてもよい。
【０２１１】
また、本実施形態に係る情報処理装置は、例えば、撮像デバイスで構成される撮像部（図示せず）を、さらに備えていてもよい。撮像部（図示せず）を備える場合には、本実施形態に係る情報処理装置は、例えば、撮像部（図示せず）において撮像により生成された撮像画像を処理して、ユーザの視線の位置に関する情報を得ることが可能となる。
【０２１２】
また、本実施形態に係る情報処理装置は、例えば、ユーザの視線の位置の推定精度の向上に用いることが可能な検出値を得る任意のセンサで構成される検出部（図示せず）を、さらに備えていてもよい。検出部（図示せず）を備える場合には、本実施形態に係る情報処理装置は、例えば、検出部（図示せず）から得られるデータを用いて、ユーザの視線の位置の推定精度の向上を図ることが可能となる。
【０２１３】
以上、本実施形態として、情報処理装置を挙げて説明したが、本実施形態は、かかる形態に限られない。本実施形態は、例えば、テレビ受像機や、表示装置、タブレット型の装置、携帯電話やスマートフォンなどの通信装置、透過型や遮蔽型のＨＭＤ、映像／音楽再生装置（または映像／音楽記録再生装置）、ゲーム機、ＰＣ（Personal  Computer）などのコンピュータなど、様々な機器に適用することができる。また、本実施形態は、例えば、上記のような機器に組み込むことが可能な、処理ＩＣ（Integrated  Circuit）に適用することもできる。
【０２１４】
また、本実施形態は、例えばクラウドコンピューティングなどのように、ネットワークへの接続（または各装置間の通信）を前提とした、複数の装置からなるシステムにより実現されてもよい。つまり、上述した本実施形態に係る情報処理装置は、例えば、複数の装置からなる情報処理システムとして実現することも可能である。
【０２１５】
（本実施形態に係るプログラム）
コンピュータを、本実施形態に係る情報処理装置として機能させるためのプログラム（例えば、“上記（１）の処理（評価値算出処理）”や、“上記（１）の処理（評価値算出処理）、および上記（２）の処理（生成処理）、”、“上記（１）の処理（評価値算出処理）、および上記（３）の処理（実行処理）”、“上記（１）の処理（評価値算出処理）〜上記（３）の処理（実行処理）”など、本実施形態に係る情報処理方法に係る処理を実行することが可能なプログラム）が、コンピュータにおいてプロセッサなどにより実行されることによって、ユーザの視線の位置に基づいて、ユーザの視線に関する評価値を算出することができる。
【０２１６】
また、コンピュータを、本実施形態に係る情報処理装置として機能させるためのプログラムが、コンピュータにおいてプロセッサなどにより実行されることによって、上述した本実施形態に係る情報処理方法に係る処理によって奏される効果を、奏することができる。
【０２１７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１８】
例えば、上記では、コンピュータを、本実施形態に係る情報処理装置として機能させるためのプログラム（コンピュータプログラム）が提供されることを示したが、本実施形態は、さらに、上記プログラムを記憶させた記録媒体も併せて提供することができる。
【０２１９】
上述した構成は、本実施形態の一例を示すものであり、当然に、本開示の技術的範囲に属するものである。
【０２２０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２２１】
なお、以下のような構成も本開示の技術的範囲に属する。
（１）
ユーザの視線の位置に関する情報と、視線に関する評価値を算出する範囲を示す範囲情報とに基づいて、特定された前記範囲ごとに前記評価値を算出する評価値算出部を備える、情報処理装置。
（２）
前記評価値算出部は、特定された前記範囲に対して重み付けをつけて前記評価値を算出する、（１）に記載の情報処理装置。
（３）
前記評価値算出部は、特定された前記範囲に含まれるコンテンツの種類、前記コンテンツの属性のうちの、一方または双方に基づいて重み付けをつけて、前記評価値を算出する、（２）に記載の情報処理装置。
（４）
前記範囲情報が示す範囲が、表示画面に対応する領域のうちの一部の領域である場合、
前記評価値算出部は、前記範囲情報に基づき特定された前記範囲に対応する領域における、表示画面における基準位置からの距離に基づいて重み付けをつけて、前記評価値を算出する、（２）、または（３）に記載の情報処理装置。
（５）
前記基準位置は、前記範囲情報に基づき特定された前記範囲が設定されるコンテンツの種類に基づき設定される、（４）に記載の情報処理装置。
（６）
前記範囲情報が示す範囲が、表示画面に対応する領域のうちの一部の領域である場合、
前記評価値算出部は、前記範囲情報が示す範囲を、範囲ごとに範囲が大きくなるように調整して前記範囲を特定する、（１）〜（５）のいずれか１つに記載の情報処理装置。
（７）
前記評価値算出部は、前記ユーザの視線の位置に関する情報に対応する装置の種類に基づいて、前記範囲情報が示す範囲を調整する、（６）に記載の情報処理装置。
（８）
前記評価値算出部は、前記ユーザの視線の位置に関する情報に対応する表示画面における位置、または前記ユーザの視線の位置に関する情報に対応する実オブジェクトにおける位置と、前記ユーザの視線の位置に関する情報に対応するユーザとの距離に基づいて、前記範囲情報が示す範囲を調整する、（６）、または（７）に記載の情報処理装置。
（９）
前記評価値算出部は、前記ユーザの視線の位置に関する情報に対応する表示画面、または前記ユーザの視線の位置に関する情報に対応する実オブジェクトに対する、前記ユーザの視線の位置に関する情報に対応するユーザの位置に基づいて、前記範囲情報が示す範囲を調整する、（６）〜（８）のいずれか１つに記載の情報処理装置。
（１０）
前記評価値算出部は、前記ユーザの視線の位置に関する情報の取得に係る方法と、前記ユーザの視線の位置に関する情報の取得に係るデバイスとのうちの、一方または双方に基づいて、前記範囲情報が示す範囲を調整する、（６）〜（９）のいずれか１つに記載の情報処理装置。
（１１）
前記評価値算出部は、調整されることにより前記範囲が特定された場合、
調整された範囲のうち、調整された範囲と前記範囲情報が示す範囲との差分に対応する範囲に対して重み付けをつけて、前記評価値を算出する、（６）〜（１０）のいずれか１つに記載の情報処理装置。
（１２）
前記評価値算出部は、前記範囲情報が示す範囲を、前記範囲として特定する、（１）〜（５）のいずれか１つに記載の情報処理装置。
（１３）
前記評価値を算出する範囲を設定し、設定された範囲に対応する前記範囲情報を生成する生成部をさらに備え、
前記評価値算出部は、生成された前記範囲情報に基づいて、前記評価値を算出する、（１）〜（１２）のいずれか１つに記載の情報処理装置。
（１４）
前記範囲ごとに算出された評価値に基づいて処理を行う処理部をさらに備える、（１）〜（１３）のいずれか１つに記載の情報処理装置。
（１５）
前記処理部は、前記評価値の算出に係る値を、前記評価値の算出に係る値の大きさに応じた色により視覚化して、表示画面に表示させる、（１４）に記載の情報処理装置。
（１６）
ユーザの視線の位置に関する情報と、視線に関する評価値を算出する範囲を示す範囲情報とに基づいて、特定された前記範囲ごとに前記評価値を算出するステップを有する、情報処理装置により実行される情報処理方法。
（１７）
ユーザの視線の位置に関する情報と、視線に関する評価値を算出する範囲を示す範囲情報とに基づいて、特定された前記範囲ごとに前記評価値を算出するステップを、コンピュータに実行させるためのプログラム。
【符号の説明】
【０２２２】
１００  情報処理装置
１０２    通信部
１０４    制御部
１１０    生成部
１１２    評価値算出部
１１４    処理部
【図１】
2015088828.tif 000004
【図２】
2015088828.tif 000005
【図３】
2015088828.tif 000006
【図４】
2015088828.tif 000007
【図５】
2015088828.tif 000008
【図６】
2015088828.tif 000009
【図７】
2015088828.tif 000010
【図８】
2015088828.tif 000011
【図９】
2015088828.tif 000012
【図１０】
2015088828.tif 000013
【図１１】
2015088828.tif 000014
【図１２】
2015088828.tif 000015
【図１３】
2015088828.tif 000016
【図１４】
2015088828.tif 000017
【図１５】
2015088828.tif 000018
【図１６】
2015088828.tif 000019